(57)【要約】【課題】  足との密着性ないしは一体性が高くその構造が簡素な、背丈が高くなった状態で歩行し及び立ち止まることが可能な足継具を提供する。【解決手段】  人が足の下に装着して背丈が高くなった状態で歩行し及び立ち止まることができるようになっている容器状の足継具１は、踏み台２と、前後２組の束縛ストラップ６、９（固定具）とを備えている。踏み台２は、プラスチック又は合成樹脂で一体形成された筒状の胴体部３と、該胴体部３の上端部を閉止するとともに足を載せることが可能なフィールドトラック形の平坦な足載せ部４とを有している。足載せ部４の後端部近傍には、足の踵と係合する踵係合部５が取り外し可能に取り付けられている。両束縛ストラップ６、９は、足載せ部４の上面に足を固定する。左右１対の足継部１は、歩幅程度の長さのロープで互いに連結されている。【選択図】図１
2006218026.tif 000002
【特許請求の範囲】
【請求項１】
人が足の下に装着して背丈が高くなった状態で歩行し及び立ち止まることができるようになっている足継具であって、
筒状の胴体部と、該胴体部の一方の端部を閉止するとともに足を載せることが可能な形状をもつ足載せ部と、該足載せ部の外面に設けられ足の踵と係合する踵係合部とを有する容器形の踏み台と、
上記足載せ部の外面に足を固定する固定具とを備えていることを特徴とする足継具。
【請求項２】
上記胴体部の、上記足載せ部とは反対側の端部に、周方向に互いに離間した３つの接地部が設けられていることを特徴とする、請求項１に記載の足継具。
【請求項３】
上記各接地部の下面に、それぞれ、滑り止めが設けられていることを特徴とする、請求項２に記載の足継具。
【請求項４】
上記踵係合部材が、上記足載せ部から取り外すことができるようになっていることを特徴とする、請求項１〜３のいずれか１つに記載の足継具。
【請求項５】
上記固定具が、それぞれ足の前部及び後部に対応する位置に配置された、足を上記足載せ部に締め付ける、面ファスナを用いた２組の束縛ストラップであることを特徴とする、請求項１〜４のいずれか１つに記載の足継具。
【請求項６】
１対の足継具が、互いに、一定の長さの紐又は鎖で連結されていることを特徴とする、請求項１〜５のいずれか１つに記載の足継具。
【請求項７】
上記踏み台が、プラスチック又は合成樹脂で形成されていることを特徴とする、請求項１〜６のいずれか１つに記載の足継具。
【発明の詳細な説明】
【技術分野】
【０００１】
本発明は、人が足の下に装着して背丈が高くなった状態で歩行し及び立ち止まることができるようになっている足継具に関するものである。
【背景技術】
【０００２】
一般に、人の背丈より高い位置で物に対して何らかの作業を行う場合、例えば車高の高い乗用車のルーフ上面の清掃を行う場合、地面や床などに置かれた脚立や踏み台などに乗って作業を行うことが多い。しかし、この場合、作業者は、作業箇所が変わるたびに、一旦地面ないしは床に下りて、脚立や踏み台などを移動させなければならないので、該作業を迅速かつ能率的に行うことはできない。
【０００３】
そこで、上面に緒を取り付ける一方、下面に折り畳み式の支柱を取り付け、人が履いて歩けるようにした２個セットの踏み台、すなわち、背丈が高くなった状態で歩行し及び立ち止まることが可能な足継具が提案されている（特許文献１参照）。
【特許文献１】特開平１０−１８４２５５号公報（段落［０００４］、図１）
【発明の開示】
【発明が解決しようとする課題】
【０００４】
しかしながら、特許文献１に開示された従来の踏み台は、足と係合する部分が下駄ないしはスリッパと同様の係合構造であるので、足との密着性ないしは合体性が悪く、足から離脱するおそれがあるといった問題がある。また、折り畳み式の支柱は、２つの支柱を支点でピボット回転可能に連結したものであるので、踏み台の構造が比較的複雑であるといった問題がある。さらには、地面ないしは床面の上でがたついて、安定が悪いといった問題もある。
【０００５】
本発明は、上記従来の問題を解決するためになされたものであって、足との密着性ないしは合体性が良くその構造が簡素な、背丈が高くなった状態で歩行し及び立ち止まることが可能な、安定の良い足継具を提供することを目的ないしは解決すべき課題とする。
【課題を解決するための手段】
【０００６】
上記課題を解決するためになされた本発明に係る、人が足の下に装着して背丈が高くなった状態で歩行し及び立ち止まることができるようになっている足継具は、踏み台と固定具とを備えている。ここで、踏み台は、筒状の胴体部と、該胴体部の一方の端部を閉止するとともに足を載せることが可能な形状をもつ足載せ部と、該足載せ部の外面に設けられ足の踵と係合する踵係合部とを有する容器形ないしはバケット形のものである。また、固定具は、足載せ部の外面に足を固定するためのものである。
【０００７】
本発明に係る足継具においては、胴体部の、足載せ部とは反対側の端部に、周方向に互いに離間した３つの接地部が設けられているのが好ましい。各接地部の下面には、それぞれ、滑り止めが設けられているのが、より好ましい。
【０００８】
本発明に係る足継具において、踵係合部材は足載せ部から取り外すことができるようになっているのが好ましい。また、固定具は、それぞれ足の前部及び後部に対応する位置に配置された、足を足載せ部に締め付ける（束縛する）、面ファスナを用いた２組の束縛ストラップであるのが好ましい。
【０００９】
本発明に係る足継具においては、同一構成の左右１対（２個）の足継具をそれぞれ左右の足の下に１つずつ装着して用いることになるが、かかる１対の足継具は、互いに、一定の長さ、例えば人の通常の歩幅程度の長さの紐又は鎖で連結されているのが好ましい。また、踏み台は、プラスチック又は合成樹脂で形成されているのが好ましい。
【発明の効果】
【００１０】
本発明によれば、足との密着性ないしは合体性が良くその構造が簡素な、背丈が高くなった状態で歩行及び立ち止まりが可能な、安定の良い足継具を提供することができる。
【発明を実施するための最良の形態】
【００１１】
以下、添付の図面を参照しつつ、本発明の実施の形態を具体的に説明する。
図１、図２（ａ）〜（ｃ）及び図３（ａ）〜（ｂ）に示すように、本発明の実施の形態に係る足継具１（高足具）は、その本体部をなす容器形ないしはバケット形（バケツ形）の踏み台２を備えている。この踏み台２は、プラスチック又は合成樹脂で一体形成され、筒状の胴体部３と、該胴体部３の一方の端部を閉止する平坦な足載せ部４とを有している。なお、以下では便宜上、胴体部３の中心軸方向（図２（ａ）、（ｃ）では、紙面と垂直な方向）にみて、足載せ部４が設けられた方を、使用状態では上側となるので「上」といい、これと反対側を「下」ということにする。
【００１２】
プラスチック製又は合成樹脂製の踏み台２は、例えば、プラスチック材料又は合成樹脂を射出成形するなどして、容易かつ安価に製造することができる。このように、踏み台２は、金属などに比べて軟らかいプラスチック又は合成樹脂でつくられているので、例えば乗用車に対して清掃作業を行う場合、踏み台２が車体に接触しても、車体に傷がつくおそれはない。なお、踏み台２の円筒部３及び足載せ部４の厚さないしは強度は、足載せ部４の上に人が乗っても破損しないように設定されている。
【００１３】
筒状の胴体部３は、その横断面（胴体部３の中心軸と垂直な面で切断した断面）がフィールドトラック形（ないしは、長円形、略楕円形）であり、安定を良くするために上側から下側に向かってやや広がる緩やかなテーパ状に形成されている。なお、胴体部３（踏み台２）の高さは、足継具１の使用目的に応じて任意に設定すればよい（例えば、車高の高い乗用車の洗車を目的とする場合は、４０〜７０ｃｍ）。胴体部３の上端部に位置する足載せ部４は、平面視では、人の足の裏よりやや大きいフィールドトラック形（ないしは、長円形、略楕円形）の形状を有し、ほぼ平坦（平面状）に形成されている。なお、足載せ部４を、平坦にせず、足の裏面の形状に係合ないしは適合する曲面形状に形成してもよい。また、平面視における足載せ部４の形状は、フィールドトラック形に限定される訳ではなく、足を載せることができればどのような形状でもよい（例えば、足の裏形、多角形、円形、楕円形等）。そして、足載せ部４の長軸方向（図２（ａ）〜（ｃ）では左右方向）にみて、足載せ部４の一方の端部（図２（ａ）〜（ｃ）では、右端部）付近には、足の踵と係合ないしは適合する踵係合部５（踵ストッパ）が取り外し可能に取り付けられている。以下では、便宜上、足載せ部４の長軸方向にみて、踵係合部５が取り付けられている方（図２（ａ）〜（ｃ）では右側）を「後」といい、これと反対側を「前」ということにする。なお、踵係合部５を、着脱可能とせず、踏み台２（足載せ部４）と一体形成してもよい。
【００１４】
また、足載せ部４の後端部近傍の右側部分（踵係合部５の右側）には、後側の束縛ストラップ６の末端部を取り付ける（固定する）ためのストラップ取付部７が設けられる一方、左側部分（踵係合部５の左側）には、束縛ストラップ６が通り抜けるストラップ通抜部８が設けられている。さらに、足載せ部４の前端部近傍の右側部分には、前側の束縛ストラップ９の末端部を取り付けるためのストラップ取付部１０が設けられる一方、左側部分には、束縛ストラップ９が通り抜けるストラップ通抜部１１が設けられている。ここで、後側の束縛ストラップ６は比較的幅が狭く（例えば、１〜２ｃｍ）、前側の束縛ストラップ９は比較的幅が広くなっている（例えば、４〜５ｃｍ）。そして、各束縛ストラップ６、９の先端部及び中間部には、それぞれ、面ファスナ１２、１３（マジックテープ：商標登録）が取り付けられている。なお、面ファスナ同士は、ファスナ面を互いに当接させれば（とくにファスナ面と平行な方向に）強固に結合するが、適度な力で破損することなく引き離すことができる。
【００１５】
胴体部３の下端部の前部には、下方に突出する（張り出す）前側接地部１４が設けられ、後部にはそれぞれ下方に突出する（張り出す）左右２つの後側接地部１５、１６が設けられている。そして、各接地部１４〜１６の下面には、それぞれ、地面ないしは床との摩擦を大きくして、踏み台２が滑るのを防止する滑り止め材１７〜１９が取り付けられている。なお、滑り止め材１７〜１９を取り付けるのではなく、各接地部１４〜１６の下面を摩擦が大きくなるような形態、例えばのこぎり状に加工してもよい。
【００１６】
このように、胴体部３の下端部に、胴体部周方向に互いに離間した３つの接地部１４〜１６が設けられているので、踏み台２は、地面あるいは床に置かれたときには、胴体部３の３つの接地部１４〜１６を地面ないしは床に当接させ、いわゆる三点支持状態となる。このため、踏み台２は、凹凸のある地面ないしは床の上に置かれたときでも、がたつかず、姿勢が安定する。
【００１７】
図４に示すように、本発明に係る足継具１は、同一構成の１対の足継具１を左右の足の下に１つずつ装着して用いることになるが、１対の足継具１は、互いに、人の通常の歩幅程度の長さの着脱可能なロープ２０（紐）で、適宜、連結することができるようになっている。なお、ロープ２０に代えて、プラスチック製あるいは金属製の鎖を用いてもよい。
【００１８】
図５に示すように、足継具１は、下向きに広がる緩やかなテーパを伴った容器形のものであるので、非使用時には、踵係合部５を取り外した上で、１対の足継具１を上下逆さにして重ね合わせれば（一部は重ならない）、上側が開口した踏み台２内の空間部に、踵係合部５や作業用の道具（例えば、洗車に用いる場合は、スポンジ２１、洗剤２２、缶入りワックス２３等）を収容することができる。つまり、踏み台２は道具入れとして利用することができる。なお、１対の足継具１を上下逆さにせずに重ね合わせてもよい。いずれの場合も、１対の足継具１は、重ね合せによりコンパクトな形態となり、その収納に要するスペースを小さくすることができる。
【００１９】
以下、本発明に係る足継具１の使用方法を、具体的に説明する。作業者は、その背丈より高い位置にある物に対して作業を行うとき、例えば、車高の高い乗用車（例えば、車高が２ｍ程度のワンボックスカー）のルーフ上面の清掃を行うときには、まず、１対の足継具１を、足載せ部４が上側となる（接地部１４〜１６が下側となる）ようにして、地面あるいは床面上に左右に揃えて置く。次に、作業者は、左右の足がそれぞれ左右の足継具１の足載せ部４の上に位置するように、両踏み台２の上に乗る（跨る）。なお、作業者は、靴ないしは履物を履いた状態であっても、また脱いだ状態であってもよい。
【００２０】
そして、作業者は、左右の足の踵が、それぞれ、対応する足継具１の踵係合部５と係合するように、両足の位置を調節する。続いて、作業者は、左右の足継具１について、それぞれ、前側及び後側の束縛ストラップ１２、１３で、各足を足載せ部４に固定する。具体的には、末端部がストラップ取付部７、１０に固定された束縛ストラップ６、９を、足の上側を経て、ストラップ通抜部８、１１の穴を右から左に通り抜けさせる。次に、束縛ストラップ６、９を強く引き締めながら、先端部の面ファスナ１２、１３を、中間部の面ファスナ１２、１３に当接させて固定する。
【００２１】
これにより、足継具１の装着が終了する。かくして、足の下に足継具１を装着した作業者の背丈は、踏み台２の高さ分だけ高くなる。この状態で、作業者は、自在に歩行し、又は立ち止まることができる。したがって、作業者は、高い位置で作業を行うべき物、例えば車高の高い乗用車の近傍まで歩行し、自在に移動しつつ、所望の箇所に所望の作業、例えば乗用車のルーフの清掃などを行うことができる。
【００２２】
作業者が、かかる作業を行う場合、踵係合部５と両束縛ストラップ６、９とにより、足継具１が足に強固に固定されるので、歩行時に足継具１が足から離脱することはない。そして、前記のとおり、足継具１は、下方に向かってやや広がるテーパ状であるので、地面ないしは床面上での安定性が良い。さらに、３つの接地部１４〜１６により三点支持状態となるので、地面あるいは床面などに凹凸がある場合でも、足継具１の姿勢が安定し、作業者は安全に歩行することができる。また、左右の足継具１が歩幅程度の長さのロープ２０によって連結されているので、歩行時に歩幅が広がりすぎるおそれはない。
【図面の簡単な説明】
【００２３】
【図１】本発明の実施の形態にかかる足継具の斜視図である。
【図２】（ａ）、（ｂ）及び（ｃ）は、それぞれ、図１に示す足継具の、束縛ストラップを取り外した状態における上面図、側面図及び下面図である。
【図３】（ａ）及び（ｂ）は、それぞれ、図１に示す足継具の、束縛ストラップを取り外した状態における背面図及び正面図である
【図４】ロープで連結された１対の足継具の正面図である。
【図５】上下を逆にして重ねられた１対の踏み台の背面図である。
【符号の説明】
【００２４】
１  足継具、２  踏み台、３  胴体部、４  足載せ部、５  踵係合部、６  後側の束縛ストラップ、７  ストラップ取付部、８  ストラップ通抜部、９  前側の束縛ストラップ、１０  ストラップ取付部、１１  ストラップ通抜部、１２  面ファスナ、１３  面ファスナ、１４  前側接地部、１５  後側接地部、１６  後側接地部、１７  滑り止め、１８  滑り止め、１９  滑り止め、２０  ロープ、２１  スポンジ、２２  洗剤、２３  缶入りワックス。
【図１】
2006218026.tif 000003
【図２】
2006218026.tif 000004
【図３】
2006218026.tif 000005
【図４】
2006218026.tif 000006
【図５】
2006218026.tif 000007